(57)【要約】【課題】マッサージによりすり落した皮屑を飛散させずに機内に収集して取り除き、常に機内を清潔に保ち、またマッサージ操作棒の気流が常に順調である、高性能で皮膚を傷つけない皮膚マッサージ機を提供する。【解決手段】二重のフィルタ装置、穏やかに作用する内蔵の静音真空ポンプ、取り外しが簡単なフィルタコップ、取り替え可能な擦りヘッドなどの構成からなる皮膚マッサージ機であって、すり落した皮屑を機内に収集、濾過して、取り外し自在のフィルタコップから集めた皮屑を取り捨てることにより、常に機内の清潔を保てるようにした。また、擦りヘッドも取り替え可能であるため、受療者の皮膚に感染することがない。また、操作棒の置き台を、操作棒の先端側が下方に位置するように傾斜して設置することで、本機の使用中、空気の流通を順調に保ち、操作棒が置き台に吸い付けられて使用に支障を来たすこともない。【選択図】　　　　　　図１
0003098807.tif 000002
【実用新案登録請求の範囲】
【請求項１】
皮膚表皮を清掃、浄化するためのマッサージ機であって、
マッサージ機の本体と、
前記本体の上部表面に取り付けられる把手と、
前記本体の内部に設けられた真空ポンプと、
前記本体の側面に取り付けられ、一端が前記真空ポンプと相通ずるフィルタ装置と、
前記フィルタ装置の他端と空気チューブを介して導通され、先端部にマッサージ用微粒子を含む擦りヘッドを有する操作棒と、
前記本体の側面に取り付けられ、前記操作棒を安置するための置き台と
を備え、
前記フィルタ装置は、フィルタコップを含み、
前記フィルタコップの内部には、無数の微細孔を有するフィルタ素子が、前記真空ポンプへの通路の入口近傍に取り付けられ、
皮膚の表面をマッサージし皮屑を取り除くことを可能としたことを特徴とする皮膚マッサージ機。
【請求項２】
前記置き台は、前記操作棒の先端側が下方に位置するように水平面に対して傾斜して配置されていることを特徴とする請求項１に記載の皮膚マッサージ機。
【請求項３】
前記置き台は、一方の端部側に設けられ前記操作棒を挟んで保持するための挟み溝と、他方の端部側に形成され穴を有する台座とを有し、
前記操作棒を前記置き台上に安置した場合、前記台座の穴は、前記操作棒の先端に設けられた擦りヘッドの通孔と導通することを特徴とする請求項１または２に記載の皮膚マッサージ機。
【請求項４】
前記フィルタコップの外側には、取り替え可能な嵌め輪部材がはめ込まれ、
前記フィルタコップの外周表面には、一定の間隔を保って配置される柵状の突起が形成され、
前記嵌め輪部材上における前記突起と対応する位置には、外部から見て凹状を呈する凹部が形成され、
前記突起と前記凹部との係合により、前記フィルタコップが取り付け取り外し自在になることを特徴とする請求項１に記載の皮膚マッサージ機。
【請求項５】
前記フィルタコップの外側には、取り替え可能な嵌め輪部材がはめ込まれ、
前記嵌め輪部材の表面には、複数の溝が形成され、
前記嵌め輪部材の下端には、前記フィルタコップの下端に形成され皮屑が落下するところの乳頭部を通すための通孔が設けられていることを特徴とする請求項１に記載の皮膚マッサージ機。
【請求項６】
前記操作棒の先端部に設けられる擦りヘッドは、取り替え可能であることを特徴とする請求項１に記載の皮膚マッサージ機。
【請求項７】
前記フィルタ装置は、前記本体に固定される第１および第２台座を有し、前記第１台座の内部に形成された空洞部には、棉フィルタと紙フィルタとを備えた操作棒側フィルタコップが取り付けられ、前記操作棒側フィルタコップの上部には、前記空気チューブとのジョイントが挿し込まれ、前記ジョイントは、上端に設けられる前記チューブを接続するのための接続部を有し、
前記第１台座と所定の距離だけ離れた位置には、前記第２台座と連通する第三台座が設けられ、前記第３台座および第１台座の相対する位置には各々１つのニップルを取り付け、両ニップル間を１本の透明なパイプで連絡し、
前記第２台座の下方には、皮屑が落下するところの下端に垂下した乳頭部を有する前記フィルタコップが設けられ、前記微細孔を有するフィルタ素子は、当該フィルタ素子の下方に位置する前記乳頭部と所定の距離を保って取り付けられていることを特徴とする請求項１に記載の皮膚マッサージ機。
【請求項８】
前記操作棒側フィルタコップは、透明な円筒形をなし、当該操作棒側フィルタコップの内部において、棉フィルタを紙フィルタよりも空気流れの上流側に取り付けていることを特徴とする請求項７に記載の皮膚マッサージ機。
【請求項９】
前記本体の正面には、電源スイッチと、吸引力を調整するための調整ノブと、圧力計とが備えられ、前記本体の側面には、電源ケーブルを引き入れるためのコンセントが取り付けられていることを特徴とする請求項１に記載の皮膚マッサージ機。
【請求項１０】
前記第２台座と前記第３台座とは、１つの部材で一体的に形成されていることを特徴とする請求項７に記載の皮膚マッサージ機。
【考案の詳細な説明】
【０００１】
【考案の属する技術分野】
本考案は皮膚マッサージ機に関するもので、特に荒れた皮膚表面の治療、再生のため、皮膚にマッサージを施し、その皮屑を静かに動作する真空ポンプで吸引した後、数層のフィルタを経て濾過し、取り替え可能なフィルタコップに集めて取り捨て、本機を常に清潔に保つ皮膚マッサージ機に関するものである。
【０００２】
【従来の技術】
伝統的な皮膚の美容方法として、色々な化粧水や保養品を使用するほか、皮膚をマッサージする方法がある。マッサージにより、皮膚表面に堆積した皮屑、即ち坏死した細胞が取り除かれ、塞がれた毛穴が清掃されて皮膚に光沢を取り戻し、しみ、にきび、そばかす、その他の吹出物が、下層の真皮を損なわずに除去できるため、重宝がれている状態である。
【０００３】
近年来、皮膚マッサージ機には、更に色々な機能が加わり、例えば真空ポンプで皮屑を吸引して取り捨てたり、更に石英、各種の合金、アルミの酸化物などの微粒子をマッサージ棒の先尖の穴から、略切線方向に皮膚の表面に吹付けてマッサージするなどの考案もなされている。
【０００４】
しかるにこのような微粒子を利用した皮膚マッサージ機には、以下のような幾多の欠点がある。
【０００５】
１．微粒子は、反覆して使用されるうちに汚染されて、清潔度が失われる。
【０００６】
２．品質の高い微粒子は、価格が高い。
【０００７】
３．往々にして皮膚マッサージ中に微粒子が肌に食い込んで、受療者に不快感を与える。
【０００８】
以上の事情に鑑み、このような欠点を改善せんがため、本願の考案者は多年当業に従事してきた経験に基づき、長期の苦心研鑚の結果、遂に本願の開発の成功を見るに至ったものである。
【０００９】
【考案が解決しようとする課題】
マッサージによりすり落された皮屑が飛散せず、操作棒内に吸入されるような皮膚マッサージ機の提供を、本考案の主目的とする。
【００１０】
また、機内での二重のフィルタ作用により、皮屑を濾過して取り除き、常に機内の清潔を保つことができる皮膚マッサージ機の提供を、本考案のもう１つの目的とする。
【００１１】
また、操作棒内の気流を順調に通せる皮膚マッサージ機の提供を、本考案の更に１つの目的とする。
【００１２】
【課題を解決するための手段】
上記目的を達成するための本考案の皮膚マッサージ機は、本体と、本体内部に設けられた真空ポンプと、本体の側面に取り付けられ、一端が真空ポンプと相通ずるフィルタ装置と、フィルタ装置の他端と空気チューブを介して導通され、先端部にマッサージ用微粒子を含む擦りヘッドを有する操作棒とを備える。
【００１３】
また、操作棒の先端側が下方に位置するように、操作棒の置き台を傾斜して設けて、本機使用時に操作棒内の気流が順調に流通するようにした。
【００１４】
また、フィルタ装置に、フィルタコップを２つ設置して、二重の確実な濾過作用を確保し、更に第２フィルタコップを取り替え可能にして皮屑を取り捨て、機内を常に整潔に保つようにした。
【００１５】
なお、本考案による皮膚マッサージ機のその他の特徴、利点や運用に関しては、本明細書に添付した図面を参照して、以下に説明する実施形態の内容から理解することができる。
【００１６】
【考案の実施の形態】
以下、図面を参照して、本考案の実施の形態を説明する。
【００１７】
図１および図２の本考案による皮膚マッサージ機の立体組立図を参照する。本マッサージ機は、本体１と、その上部の表面に設けられた把手１１とを有している。本マッサージ機の内部には、真空ポンプ（図示せず）が備え付けられている。本体１の正面には、電源スイッチ１２、ロータリーノブ１３、および圧力計１４が取り付けられてあり、そのとなりの本体１の側面には、フィルタ装置２、その反対側の側面には、電源ケーブルを引き入れるためのコンセント１５、操作棒４、および操作棒４の置き台３がある。
【００１８】
図３は、フィルタ装置２の分解図である。フィルタ装置２には、３つの台座２１、２２、２３と、２つのフィルタコップ２４、２５が含まれている。第１および第２台座２１および２２は、本体１に固定されており、第１台座２１内のＬ形通孔２１１は、その内ねじ山で、第１フィルタコップ２４と螺合している。第１フィルタコップ（操作棒側フィルタコップ）２４は、透明な円筒形を呈しており、その頂部には空気チューブ６と接続するジョイント５を備えている。第１フィルタコップ２４の内部において、棉フィルタ２４２は、紙フィルタ２４１よりも空気流れの上流側に取り付けられている。
【００１９】
図４は、フィルタ装置の部分組立断面図である。ジョイント５は、多段の構造体であり、第１フィルタコップ２４に挿入される下段部の外側は、ガスケット５２で密封され、外径のやや大きい中段部と相まって完全な気密性を保っている。ジョイント５の上段部は、１つの接続部５４を形成しており、その内に内管５５が形成されている。内管５５と接続部５４との間の空隙に、空気チューブ６の一端が挿入され、チューブ６の他端は、操作棒４に接続される。
【００２０】
もう一度、図３を参照する。第１台座と所定の距離だけ離れた位置に、第３台座２３があり、両台座２３および２１の各々のニップル６１および６２間は、１本の透明なパイプ６３で連絡され、第２台座２２は第３台座２３の隣に位置している。
【００２１】
図５は、フィルタ装置の第２台座付近の部分組立断面図である。第２台座２２の上には、蓋２６がかぶさっている。第２台座２２は、開口２２１で第３台座２３と連通し、向い側のもう１つの開口２２２で真空ポンプと連通する。開口２２２の下部には、微細孔を有するフィルタ素子２７が設けられている。第２フィルタコップ２５は、透明なコップであり、第２台座２２の下部に螺設される。フィルタ素子２７は、第２フィルタコップ２５の中にあって囲まれている。フィルタコップ２５の底部には、下垂した乳頭部２５１が形成されている。フィルタ素子２７は、当該フィルタ素子の下方に位置する乳頭部２５１と所定の距離を保って取り付けられている。フィルタコップ２５の外周表面に沿って、一定の間隔を保って配置される下垂した柵状の突起としてのテノン（ｔｅｎｏｎ）２５２が形成されている。
【００２２】
図６は、取り替え可能な嵌め輪部材７の断面図である。嵌め輪部材７は、フィルタコップ２５の外部にはめ込むもので、その表面には数条の溝７１が形成されており、フィルタコップ２５のテノン２５２と相対する位置には、外部から見て凹状を呈する凹部としてのスロットモータイズ（ｓｌｏｔ　ｍｏｒｔｉｓｅ）７２が形成されていて、テノンとモータイズの係合により、フィルタコップ２５を取り付け取り外し自在にする。
【００２３】
図７は、操作棒４の断面図である。操作棒４は、長い棒状をなし、その先端には、取り替え自在の擦りヘッド（ｒｕｂｂｉｎｇ　ｈｅａｄ）４１が取り付けられる。擦りヘッド４１の尖端は、無数の微粒子４２を含む粗い摩擦面に形成され、これにて皮膚をマッサージするのである。擦りヘッド４１の中央には通孔４３があり、操作棒４と相通ずる。
【００２４】
置き台３は、操作棒４の先端側が下方に位置するように水平面に対して傾斜して設置される。置き台３の上部には、形成され操作棒４を挟んで保持するための挟み溝３１が形成されており、この挟み溝３１で操作棒４を挟み、固定する。置き台３の中部には、切り欠かれた空間部３２が形成され、下部には、中央に穴３４を有する基台３３が形成されている。上端が円錐状をなすニップル３５が穴３４に挿入されていて、操作棒４を置き台３に置いたとき、穴３４は、操作棒４の擦りヘッド４１の中央の通孔４３と導通する。
【００２５】
図８に、操作棒４の使用状態を示す。先ず真空ポンプをオンし、マッサージする皮膚の位置により、ロータリーノブ１３をまわして適当な吸引力に調整する。擦りヘッド４１を皮膚の表面にあて、たとえば前後に往復してマッサージする。すり落された皮屑は、真空力により操作棒４内に吸込まれ、チューブ６、ジョイント５を経て、第１フィルタコップ２４内で、棉フィルタ２４２および紙フィルタ２４１に濾過され、更に透明パイプ６３に沿って、第３および第２台座２３、２２を通り、第２台座２２の開口２２１から第２フィルタコップ２５の乳頭部２５１に落下して、収集される。空気の気流は、フィルタ素子２７の表面に密に分布する微細孔２７１を通って、確実に微細な皮屑を除去した後に、清潔な空気となって真空ポンプに復掃するのである。
【００２６】
濾過の効果を一層確実にするため、図４に示すように、第１台座２１のＬ形通孔２１１内に更にＯリング８１と、その下方に位置する網状フィルタ８２とを加設してもよい。このようにすれば、皮屑がチューブ６３に入る前に、３度の濾過を受けることになり、浄化の効果はますます確実となる。
【００２７】
図５および図６に示されるように、第２フィルタコップ２５の外部表面のテノン２５２と、嵌め輪部材７のスロットモータイズ７２の相互作用原理を利用すれば、嵌め輪部材７の取り外しが容易にできるので、第２フィルタコップ２５を取り外して皮屑を廃棄し、第２フィルタコップ２５の清潔なども迅速に実行できるのである。
【００２８】
また、置き台３を、操作棒４の先端側が下方に位置するように水平面に対して傾斜して設置し、そのニップルの通孔を空気が通るようにした設計により、真空ポンプの動作中に操作棒４を置き台３に安置しても、操作棒４が置き台３に吸い付けられて操作に差支えるということがなくなる。
【００２９】
また、第２台座と第３台座とは、１つの部材で一体的に形成されていてもよい。すなわち、第２台座を延長し、通孔を形成して透明なパイプと接続すれば、第３台座を省略することもできる。
【００３０】
本考案は、本考案の技術的思想から逸脱することなく、他の種々の形態で実施することができる。前述の実施形態は、あくまでも本考案の技術的内容を明らかにするだけであって、本考案は、このような具体例のみに限定して、狭義に解釈されるべきものではなく、本考案の精神と実用新案登録請求の範囲内で、色々と変更して実施できるものである。
【００３１】
【考案の効果】
以上説明したように、本考案の皮膚マッサージ機によれば、マッサージによりすり落された皮屑が飛散せず、容易に操作棒内に吸入させることができる。また、フィルタ作用により、皮屑を濾過して確実に取り除き、常に機内の清潔を保つことができる。また、置き台の設計を工夫することにより、使用中に操作棒内の気流を順調に通すことが可能となり、操作棒が置き台に吸い付けられて使用に支障を来たすこともなくなる。
【図面の簡単な説明】
【図１】本考案による皮膚マッサージ機の組立立体図である。
【図２】本考案による皮膚マッサージ機の別な角度から観察した組立立体図である。
【図３】本考案によるフィルタ装置の分解図である。
【図４】本考案によるフィルタ装置の部分断面図である。
【図５】本考案によるフィルタ装置の別の部分の断面図である。
【図６】本考案による取り替え可能な嵌め輪部材の断面図である。
【図７】本考案による操作棒の断面図である。
【図８】本考案による操作棒の使用状態図である。
【符号の説明】
１…皮膚マッサージ機の本体、
１１…把手、
１２…電源スイッチ、
１３…ロータリーノブ（調整ノブ）、
１４…圧力計、
２…フィルタ装置、
１５…コンセント、
４…操作棒、
３…置き台、
２１、２２、２３…台座、
２５…フィルタコップ、
２１１…Ｌ形通孔、
６…空気チューブ、
５…ジョイント、
５２…ガスケット、
５４…接続部、
５５…内管、
６１、６２…ニップル、
２６…台座２２の蓋、
２２１、２２２…開口、
２７…フィルタ素子、
２５１…乳頭部、
２５２…テノン（突起）、
７…嵌め輪部材、
７ｌ…溝、
７２…スロットモータイズ（凹部）、
４１…擦りヘッド、
３１…挟み溝、
３２…空間部、
３３…基台、
３４…穴、
４３…通孔、
６３…透明パイプ、
２７１…微細孔、
８１…０リング、
８２…網状フィルタ。
【図１】
0003098807.tif 000003
【図２】
0003098807.tif 000004
【図３】
0003098807.tif 000005
【図４】
0003098807.tif 000006
【図５】
0003098807.tif 000007
【図６】
0003098807.tif 000008
【図７】
0003098807.tif 000009
【図８】
0003098807.tif 000010